(57)【要約】【課題】ＬＡＮコネクタのロックレバーが破損した場合に、ＬＡＮケーブル全体の交換、または専用工具によるＬＡＮコネクタの交換をすることなく補修することができるロックレバー破損ＬＡＮコネクタ用の補修具を提供すること。【解決手段】ＬＡＮコネクタと同様のロックレバーと接続端子を有した代替ＬＡＮコネクタ部と、挿入したロックレバー破損ＬＡＮコネクタのロックレバー土台部を引っ掛けて固定する破損ＬＡＮコネクタロックと接続端子を有した破損ＬＡＮコネクタ接続部から成り、各接続端子を電気的に導通するように構成したロックレバー破損ＬＡＮコネクタ用補修具をロックレバー破損ＬＡＮコネクタに取り付けることで、ＬＡＮケーブル全体の交換や専用工具によるＬＡＮコネクタ交換よりも短時間、低コストかつ容易にロックレバーの折れたＬＡＮコネクタの補修が可能となる。【選択図】図１２
2006012861.tif 000002
【特許請求の範囲】
【請求項１】
ＬＡＮコネクタと同様のロックレバーと接続端子を有した代替ＬＡＮコネクタ部と、挿入したロックレバー破損ＬＡＮコネクタのロックレバー土台部を引っ掛けて固定する破損ＬＡＮコネクタロックと接続端子を有した破損ＬＡＮコネクタ接続部から成り、各接続端子を電気的に導通するように構成したロックレバー破損ＬＡＮコネクタ用補修具。
【発明の詳細な説明】
【技術分野】
【０００１】
本発明はロックレバーが破損したＬＡＮコネクタを補修するための補修具に関する。
【背景技術】
【０００２】
ＬＡＮケーブルのＬＡＮコネクタ部分にはパソコンや通信機器などのＬＡＮケーブル接続口に固定するためのロックレバーが設けられているが、ＬＡＮケーブル接続口に繰り返し抜き差しすることでロックレバーの根元が疲労で折れたり、誤ってロックレバーをケーブル等に引っ掛けて折れてしまったりして、ＬＡＮケーブル接続口に固定できなくなることが多い。
【０００３】
その場合、ＬＡＮケーブル全体を新しいものに取り替えるか、ロックレバーが破損したＬＡＮコネクタをＬＡＮケーブルから切断し、専用工具を使用してＬＡＮケーブルに新しいＬＡＮコネクタを取り付ける必要があった。
【発明の開示】
【発明が解決しようとする課題】
【０００４】
ＬＡＮケーブル全体を新しいものに取り替える場合、新しいＬＡＮケーブルの購入コストとＬＡＮケーブルの再配線作業の発生が問題となる。特に床下などに配線している場合は、配線作業に多大の労力と時間を要する。
【０００５】
ロックレバーが破損したＬＡＮコネクタをＬＡＮケーブルから切断し、専用工具を使用してＬＡＮケーブルに新しいＬＡＮコネクタを取り付ける場合、専用工具の購入コストとＬＡＮコネクタ部交換作業の発生が問題となる。この作業はＬＡＮコネクタ結線の知識と技術を要する上、ＬＡＮコネクタを切断するため、ＬＡＮケーブルが短くなってしまう。
【０００６】
本発明は以上のような欠点をなくすためになされたものである。
【課題を解決するための手段】
【０００７】
上記の目的を実現するために請求項１記載の発明はＬＡＮコネクタと同様のロックレバーと接続端子を有した代替ＬＡＮコネクタ部と、挿入したロックレバー破損ＬＡＮコネクタのロックレバー土台部を引っ掛けて固定する破損ＬＡＮコネクタロックと接続端子を有した破損ＬＡＮコネクタ接続部から成り、各接続端子を電気的に導通するように構成したロックレバー破損ＬＡＮコネクタ用補修具である。
【発明の効果】
【０００８】
専用工具不要で、ＬＡＮコネクタ結線の知識と技術が無くても簡単にロックレバーが破損したＬＡＮコネクタに取り付けることができるので、ＬＡＮケーブル全体の交換や専用工具によるＬＡＮコネクタ交換よりも短時間、低コストかつ容易にロックレバーが破損したＬＡＮコネクタの補修が可能となる。
【発明を実施するための最良の形態】
【０００９】
以下、本発明の実施の形態を図に基づいて説明する。
【実施例１】
【００１０】
図１、図２、図３、図４、図５は本発明の一実施例を示したもので、図１は斜視図、図２は側面図、図３は断面図、図４は背面図、図５は正面図である。このロックレバー破損ＬＡＮコネクタ用補修具は接続端子３ａとロックレバー２ａを有した代替ＬＡＮコネクタ部１ａ、破損ＬＡＮコネクタロック５と接続端子６ａを有した破損ＬＡＮコネクタ接続部４ａで構成されており、代替ＬＡＮコネクタ部１ａは、図６のロックレバー破損前のＬＡＮコネクタと同様の形状である。
【００１１】
ロックレバー破損ＬＡＮコネクタを破損ＬＡＮコネクタ接続部４ａに挿入すると、弾性を有した素材でできている破損ＬＡＮコネクタロック５は図１０（ａ）、図１１（ａ）、図１２（ａ）のようにロックレバー土台部８により上方に押し上げられるが、最奥部まで挿入すると図１０（ｂ）、図１１（ｂ）、図１２（ｂ）のように元の位置に戻り、ロックレバー土台部８に引っ掛かることで挿入したロックレバー破損ＬＡＮコネクタが補修具に固定される。
【００１２】
また、接続端子３ａと接続端子６ａは図３のように内部で結線されており、ロックレバー破損ＬＡＮコネクタ挿入時には図１２のように接続端子６ａとロックレバー破損ＬＡＮコネクタの接続端子７が接触するため、接続端子３ａと接続端子７は電気的に導通する。
【００１３】
以上により、このロックレバー破損ＬＡＮコネクタ用補修具は専用工具不要で簡単にロックレバー破損ＬＡＮコネクタに接続することができ、ロックレバー破損前のＬＡＮコネクタと同じように使用することができる。
【実施例２】
【００１４】
その他の実施形態として、図１３のように破損ＬＡＮコネクタロックをネジとしてもよい。この場合、ロックレバー破損ＬＡＮコネクタを破損ＬＡＮコネクタ接続部４ｂの最奥部まで挿入時に破損ＬＡＮコネクタロックネジ１０を締めることで、図１４（ｂ）のようにロックレバー土台部８が破損ＬＡＮコネクタロックネジ１０に引っ掛かり、ロックレバー破損ＬＡＮコネクタが補修具に固定される。
【実施例３】
【００１５】
その他の実施形態として、図１５のように破損ＬＡＮコネクタロックを上部に取り付ける部品としてもよい。この実施例では取り付け手段の例として嵌合用凹部１２と嵌合用凸部１３を用いており、ロックレバー破損ＬＡＮコネクタを破損ＬＡＮコネクタ接続部４ｃの最奥部まで挿入時に破損ＬＡＮコネクタロック部品１１を図１５（ｂ）のように被せることで、嵌合用凹部１２と嵌合用凸部１３が嵌合して破損ＬＡＮコネクタロック部品１１が補修具に固定され、ロックレバー土台部８が破損ＬＡＮコネクタロック部品１１に引っ掛かり、ロックレバー破損ＬＡＮコネクタが補修具に固定される。
【実施例４】
【００１６】
実施例１、実施例２、実施例３の実施形態では、代替ＬＡＮコネクタ部と破損ＬＡＮコネクタ接続部が直接接続されており、それぞれの接続端子は内部で結線されているが、その他の実施形態として、図１６、図１７のように代替ＬＡＮコネクタ部１ｄと破損ＬＡＮコネクタ接続部４ｄをケーブル９を介して接続し、接続端子３ｄと接続端子６ｄをケーブル内部で結線してもよい。
【図面の簡単な説明】
【００１７】
【図１】実施例１を示す斜視図
【図２】実施例１を示す側面図
【図３】図１におけるＡ−Ａ線断面図
【図４】実施例１を示す背面図
【図５】実施例１を示す正面図
【図６】ロックレバー破損前のＬＡＮコネクタを示す斜視図
【図７】ロックレバー破損後のＬＡＮコネクタを示す斜視図
【図８】ロックレバー破損後のＬＡＮコネクタを示す側面図
【図９】図７におけるＢ−Ｂ線断面図
【図１０】ロックレバー破損ＬＡＮコネクタと実施例１の接続を示す斜視図
【図１１】ロックレバー破損ＬＡＮコネクタと実施例１の接続を示す側面図
【図１２】図１０（ａ）におけるＣ−Ｃ線断面図（ａ）と、図１０（ｂ）におけるＤ−Ｄ線断面図（ｂ）
【図１３】ロックレバー破損ＬＡＮコネクタと実施例２の接続を示す斜視図
【図１４】図１３（ａ）におけるＥ−Ｅ線断面図（ａ）と、図１３（ｂ）におけるＦ−Ｆ線断面図（ｂ）
【図１５】ロックレバー破損ＬＡＮコネクタと実施例３の接続を示す斜視図
【図１６】実施例４を示す斜視図
【図１７】図１６におけるＧ−Ｇ線断面図
【符号の説明】
【００１８】
１ａ  代替ＬＡＮコネクタ部
１ｂ  代替ＬＡＮコネクタ部
１ｃ  代替ＬＡＮコネクタ部
１ｄ  代替ＬＡＮコネクタ部
２ａ  ロックレバー
２ｂ  ロックレバー
２ｃ  ロックレバー
２ｄ  ロックレバー
３ａ  接続端子
３ｂ  接続端子
３ｃ  接続端子
３ｄ  接続端子
４ａ  破損ＬＡＮコネクタ接続部
４ｂ  破損ＬＡＮコネクタ接続部
４ｃ  破損ＬＡＮコネクタ接続部
４ｄ  破損ＬＡＮコネクタ接続部
５    破損ＬＡＮコネクタロック
６ａ  接続端子
６ｂ  接続端子
６ｄ  接続端子
７    接続端子
８    ロックレバー土台部
９    ケーブル
１０  破損ＬＡＮコネクタロックネジ
１１  破損ＬＡＮコネクタロック部品
１２  嵌合用凹部
１３  嵌合用凸部
【図１】
2006012861.tif 000003
【図２】
2006012861.tif 000004
【図３】
2006012861.tif 000005
【図４】
2006012861.tif 000006
【図５】
2006012861.tif 000007
【図６】
2006012861.tif 000008
【図７】
2006012861.tif 000009
【図８】
2006012861.tif 000010
【図９】
2006012861.tif 000011
【図１０】
2006012861.tif 000012
【図１１】
2006012861.tif 000013
【図１２】
2006012861.tif 000014
【図１３】
2006012861.tif 000015
【図１４】
2006012861.tif 000016
【図１５】
2006012861.tif 000017
【図１６】
2006012861.tif 000018
【図１７】
2006012861.tif 000019